【手続補正書】
【提出日】平成17年12月1日(2005.12.1)
【手続補正１】
【補正対象書類名】明細書
【補正対象項目名】特許請求の範囲
【補正方法】変更
【補正の内容】
【特許請求の範囲】
【請求項１】  第１の記録形式に従ってデータが記憶される第１の記憶デバイスに対する入出力処理を行う第１の入出力制御手段と、第２の記録形式に従ってデータが記憶される第２の記憶デバイスに対する入出力処理を行う第２の入出力制御手段と、前記第１の記憶デバイスに記憶されたデータをアクセスする第１の情報処理装置からデータ入出力要求を受け付ける第１の通信制御手段と、前記第２の記憶デバイスに記憶されたデータをアクセスする第２の情報処理装置からデータ入出力要求を受け付ける第２の通信制御手段とを有する第１の記憶デバイス制御装置、
及び前記第２の記録形式に従ってデータが記憶される第３の記憶デバイスに対する入出力処理を行う第３の入出力制御手段と、前記第３の記憶デバイスに記憶されたデータに対する入出力要求を受け付ける第３の通信制御手段とを有する第２の記憶デバイス制御装置を備え、
前記第２の通信制御手段と前記第３の通信制御手段とが接続されてなる記憶デバイス制御装置システムの制御方法であって、
前記第１の記憶デバイス制御装置が、前記第１の情報処理装置からデータ読み出し要求を受信するステップと、
前記第１の記憶デバイス制御装置が、前記データ読み出し要求が前記第３の記憶デバイスに記憶されているデータに対するものであることを判断するステップと、
前記第１の記憶デバイス制御装置が、前記データ読み出し要求が前記第３の記憶デバイスに記憶されているデータに対するものであると判断した場合には、前記データ読み出し要求を前記第２の記憶デバイス制御装置に送信するステップと、
前記第２の記憶デバイス制御装置が、前記第３の記憶デバイスに記憶されているデータを読み出して前記第１の記憶デバイス制御装置に送信するステップと、
前記第１の記憶デバイス制御装置が、前記データを前記第１の情報処理装置に送信するステップと
を備えることを特徴とする記憶デバイス制御装置システムの制御方法。
【請求項２】  第１の記録形式に従ってデータが記憶される第１の記憶デバイスに対する入出力処理を行う第１の入出力制御手段と、第２の記録形式に従ってデータが記憶される第２の記憶デバイスに対する入出力処理を行う第２の入出力制御手段と、前記第１の記憶デバイスに記憶されたデータをアクセスする第１の情報処理装置からデータ入出力要求を受け付ける第１の通信制御手段と、前記第２の記憶デバイスに記憶されたデータをアクセスする第２の情報処理装置からデータ入出力要求を受け付ける第２の通信制御手段とを有する第１の記憶デバイス制御装置、
及び前記第２の記録形式に従ってデータが記憶される第３の記憶デバイスに対する入出力処理を行う第３の入出力制御手段と、前記第３の記憶デバイスに記憶されたデータに対する入出力要求を受け付ける第３の通信制御手段とを有する第２の記憶デバイス制御装置を備え、
前記第２の通信制御手段と前記第３の通信制御手段とが接続されてなる記憶デバイス制御装置システムの制御方法であって、
前記第１の記憶デバイス制御装置が、前記第１の情報処理装置からデータ書き込み要求を受信するステップと、
前記第１の記憶デバイス制御装置が、前記データ書き込み要求が前記第３の記憶デバイスに対するものであることを判断するステップと、
前記第１の記憶デバイス制御装置が、前記データ書き込み要求が前記第３の記憶デバイスに対するものであると判断した場合には、前記データ書き込み要求を前記第２の記憶デバイス制御装置に送信するステップと、
前記第１の記憶デバイス制御装置が、前記第１の情報処理装置から受信した書き込みデータを前記第２の記憶デバイス制御装置に送信するステップと、
前記第２の記憶デバイス制御装置が、前記書き込みデータを前記第３の記憶デバイスに書き込むステップと
を備えることを特徴とする記憶デバイス制御装置システムの制御方法。
【請求項３】  請求項１に記載の記憶デバイス制御装置システムの制御方法において、
前記第１の記憶デバイス制御装置が、前記データを前記第１の情報処理装置に送信するステップは、
前記第１の記憶デバイス制御装置が、前記データを前記第１の記録形式に従ったデータに変換してから前記第１の情報処理装置に送信するステップ
であることを特徴とする記憶デバイス制御装置システムの制御方法。
【請求項４】  請求項２に記載の記憶デバイス制御装置システムの制御方法において、
前記第１の記憶デバイス制御装置が、前記第１の情報処理装置から受信した書き込みデータを前記第２の記憶デバイス制御装置に送信するステップは、
前記第１の記憶デバイス制御装置が、前記第１の情報処理装置から受信した書き込みデータを前記第２の記録形式に従ったデータに変換してから前記第２の記憶デバイス制御装置に送信するステップ
であることを特徴とする記憶デバイス制御装置システムの制御方法。
【請求項５】  請求項１または請求項２に記載の記憶デバイス制御装置システムの制御方法において、
前記第１及び第２の記録形式はそれぞれＦＢＡ形式及びＣＫＤ形式であることを特徴とする記憶デバイス制御装置システムの制御方法。
【請求項６】  請求項１または請求項２に記載の記憶デバイス制御装置システムの制御方法において、
前記第１及び第２の記録形式はそれぞれＣＫＤ形式及びＦＢＡ形式であることを特徴とする記憶デバイス制御装置システムの制御方法。
【請求項７】  第１の記録形式に従ってデータが記憶される第１の記憶デバイスに対する入出力処理を行う第１の入出力制御手段と、第２の記録形式に従ってデータが記憶される第２の記憶デバイスに対する入出力処理を行う第２の入出力制御手段と、前記第１の記憶デバイスに記憶されたデータをアクセスする第１の情報処理装置からデータ入出力要求を受け付ける第１の通信制御手段と、前記第２の記憶デバイスに記憶されたデータをアクセスする第２の情報処理装置からデータ入出力要求を受け付ける第２の通信制御手段とを有する第１の記憶デバイス制御装置、
及び前記第２の記録形式に従ってデータが記憶される第３の記憶デバイスに対する入出力処理を行う第３の入出力制御手段と、前記第３の記憶デバイスに記憶されたデータに対する入出力要求を受け付ける第３の通信制御手段とを有する第２の記憶デバイス制御装置を備え、
前記第２の通信制御手段と前記第３の通信制御手段とが接続されてなる記憶デバイス制御装置システムであって、
前記第１の記憶デバイス制御装置は、
前記第１の情報処理装置からデータ読み出し要求を受信する手段と、
前記データ読み出し要求が前記第３の記憶デバイスに記憶されているデータに対するものであることを判断する手段と、
前記データ読み出し要求が前記第３の記憶デバイスに記憶されているデータに対するものであると判断した場合には、前記データ読み出し要求を前記第２の記憶デバイス制御装置に送信する手段と、
前記第２の記憶デバイス制御装置から送信された前記第３の記憶デバイスに記憶されていたデータを前記第１の情報処理装置に送信する手段とを備え、
前記第２の記憶デバイス制御装置は、
前記第１の記憶デバイス制御装置から送信された前記データ読み出し要求により、前記第３の記憶デバイスに記憶されているデータを読み出して前記第１の記憶デバイス制御装置に送信する手段
を備えることを特徴とする記憶デバイス制御装置システム。
【請求項８】  第１の記録形式に従ってデータが記憶される第１の記憶デバイスに対する入出力処理を行う第１の入出力制御手段と、第２の記録形式に従ってデータが記憶される第２の記憶デバイスに対する入出力処理を行う第２の入出力制御手段と、前記第１の記憶デバイスに記憶されたデータをアクセスする第１の情報処理装置からデータ入出力要求を受け付ける第１の通信制御手段と、前記第２の記憶デバイスに記憶されたデータをアクセスする第２の情報処理装置からデータ入出力要求を受け付ける第２の通信制御手段とを有する第１の記憶デバイス制御装置、
及び前記第２の記録形式に従ってデータが記憶される第３の記憶デバイスに対する入出力処理を行う第３の入出力制御手段と、前記第３の記憶デバイスに記憶されたデータに対する入出力要求を受け付ける第３の通信制御手段とを有する第２の記憶デバイス制御装置を備え、
前記第２の通信制御手段と前記第３の通信制御手段とが接続されてなる記憶デバイス制御装置システムであって、
前記第１の記憶デバイス制御装置は、
前記第１の情報処理装置からデータ書き込み要求を受信する手段と、
前記データ書き込み要求が前記第３の記憶デバイスに対するものであることを判断する手段と、
前記データ書き込み要求が前記第３の記憶デバイスに対するものであると判断した場合には、前記データ書き込み要求を前記第２の記憶デバイス制御装置に送信する手段と、
前記第１の情報処理装置から受信した書き込みデータを前記第２の記憶デバイス制御装置に送信する手段とを備え、
前記第２の記憶デバイス制御装置は、
前記書き込みデータを前記第３の記憶デバイスに書き込む手段
を備えることを特徴とする記憶デバイス制御装置システム。
【請求項９】  請求項７に記載の記憶デバイス制御装置システムにおいて、
前記第２の記憶デバイス制御装置から送信された前記第３の記憶デバイスに記憶されていたデータを前記第１の情報処理装置に送信する手段は、
前記第２の記憶デバイス制御装置から送信された前記第３の記憶デバイスに記憶されていたデータを前記第１の記録形式に従ったデータに変換してから前記第１の情報処理装置に送信する手段
であることを特徴とする記憶デバイス制御装置システム。
【請求項１０】  請求項８に記載の記憶デバイス制御装置システムにおいて、
前記第１の情報処理装置から受信した書き込みデータを前記第２の記憶デバイス制御装置に送信する手段は、
前記第１の情報処理装置から受信した書き込みデータを前記第２の記録形式に従ったデータに変換してから前記第２の記憶デバイス制御装置に送信する手段
であることを特徴とする記憶デバイス制御装置システム。
【請求項１１】  請求項７または請求項８に記載の記憶デバイス制御装置システムにおいて、
前記第１及び第２の記録形式はそれぞれＦＢＡ形式及びＣＫＤ形式であることを特徴とする記憶デバイス制御装置システム。
【請求項１２】  請求項７または請求項８に記載の記憶デバイス制御装置システムにおいて、
前記第１及び第２の記録形式はそれぞれＣＫＤ形式及びＦＢＡ形式であることを特徴とする記憶デバイス制御装置システム。
【請求項１３】  ＦＢＡ形式に従ってデータが記憶される第１の記憶デバイスに対する入出力処理を行う第１のディスク制御部と、ＣＫＤ形式に従ってデータが記憶される第２の記憶デバイスに対する入出力処理を行う第２のディスク制御部と、ＦＢＡ形式でデータをアクセスするオープン系コンピュータからデータ入出力要求を受け付ける第１のチャネル制御部と、ＣＫＤ形式でデータをアクセスするメインフレームコンピュータからデータ入出力要求を受け付け、データセット毎にデータの記憶位置を管理するためのデータセット管理テーブルを記憶する第２のチャネル制御部とを有する第１の記憶デバイス制御装置、
及びＣＫＤ形式に従ってデータが記憶される第３の記憶デバイスに対する入出力処理を行う第３のディスク制御部と、前記第３の記憶デバイスに記憶されたデータに対するデータ入出力要求を受け付ける第３のチャネル制御部とを有する第２の記憶デバイス制御装置
を備え、
前記第２のチャネル制御部と前記第３のチャネル制御部とがデータ転送路を介して接続されてなる記憶デバイス制御装置システムの制御方法であって、
前記第１のチャネル制御部が、前記オープン系コンピュータからデータ読み出し要求を受信するステップと、
前記第１のチャネル制御部が、前記データ読み出し要求がＣＫＤ形式で記憶されたデータセットに対するものであると判断するステップと、
前記第１のチャネル制御部が、前記データ読み出し要求を前記第２のチャネル制御部に転送するステップと、
前記第２のチャネル制御部が、前記データセット管理テーブルを参照し前記データセットの記憶位置を特定するステップと、
前記第２のチャネル制御部が、前記データセットが前記第３の記憶デバイスに記憶されている場合には、前記データ読み出し要求を前記データ転送路を介して前記第２の記憶デバイス制御装置に転送するステップと、
前記第２の記憶デバイス制御装置が、前記第３の記憶デバイスに記憶されている前記データセットを読み出して前記第２のチャネル制御部に送信するステップと、
前記第２のチャネル制御部が、前記データセットを前記第１のチャネル制御部に転送するステップと、
前記第１のチャネル制御部が、前記データセットをＣＫＤ形式のデータからＦＢＡ形式のデータに変換するステップと、
前記第１のチャネル制御部が、ＦＢＡ形式に変換した前記データを前記オープン系コンピュータに送信するステップと
を備えることを特徴とする記憶デバイス制御装置システムの制御方法。
【請求項１４】  ＣＫＤ形式に従ってデータが記憶される第１の記憶デバイスに対する入出力処理を行う第１のディスク制御部と、ＦＢＡ形式に従ってデータが記憶される第２の記憶デバイスに対する入出力処理を行う第２のディスク制御部と、ＣＫＤ形式でデータをアクセスするメインフレームコンピュータからデータ入出力要求を受け付ける第１のチャネル制御部と、ＦＢＡ形式でデータをアクセスするオープン系コンピュータからデータ入出力要求を受け付け、ファイル毎にデータの記憶位置を管理するためのファイル管理テーブルを記憶する第２のチャネル制御部とを有する第１の記憶デバイス制御装置、
及びＦＢＡ形式に従ってデータが記憶される第３の記憶デバイスに対する入出力処理を行う第３のディスク制御部と、前記第３の記憶デバイスに記憶されるデータに対するデータ入出力要求を受け付ける第３のチャネル制御部とを有する第２の記憶デバイス制御装置
を備え、
前記第２のチャネル制御部と前記第３のチャネル制御部とがデータ転送路を介して接続されてなる記憶デバイス制御装置システムの制御方法であって、
前記第１のチャネル制御部が、前記メインフレームコンピュータからデータ読み出し要求を受信するステップと、
前記第１のチャネル制御部が、前記データ読み出し要求がＦＢＡ形式で記憶されたファイルに対するものであると判断するステップと、
前記第１のチャネル制御部が、前記データ読み出し要求を前記第２のチャネル制御部に転送するステップと、
前記第２のチャネル制御部が、前記ファイル管理テーブルを参照し前記ファイルの記憶位置を特定するステップと、
前記第２のチャネル制御部が、前記ファイルが前記第３の記憶デバイスに記憶されている場合には、前記データ読み出し要求を前記データ転送路を介して前記第２の記憶デバイス制御装置に転送するステップと、
前記第２の記憶デバイス制御装置が、前記第３の記憶デバイスに記憶されている前記ファイルを読み出して前記第２のチャネル制御部に送信するステップと、
前記第２のチャネル制御部が、前記ファイルを前記第１のチャネル制御部に転送するステップと、
前記第１のチャネル制御部が、前記ファイルをＦＢＡ形式のデータからＣＫＤ形式のデータに変換するステップと、
前記第１のチャネル制御部が、ＣＫＤ形式に変換した前記データを前記メインフレームコンピュータに送信するステップと
を備えることを特徴とする記憶デバイス制御装置システムの制御方法。
【請求項１５】  ＦＢＡ形式に従ってデータが記憶される第１の記憶デバイスに対する入出力処理を行う第１のディスク制御部と、ＣＫＤ形式に従ってデータが記憶される第２の記憶デバイスに対する入出力処理を行う第２のディスク制御部と、ＦＢＡ形式でデータをアクセスするオープン系コンピュータからデータ入出力要求を受け付ける第１のチャネル制御部と、ＣＫＤ形式のデータをアクセスするメインフレームコンピュータからデータ入出力要求を受け付け、データセット毎にデータの記憶位置を管理するためのデータセット管理テーブルを記憶する第２のチャネル制御部とを有する第１の記憶デバイス制御装置、
及びＣＫＤ形式に従ってデータが記憶される第３の記憶デバイスに対する入出力処理を行う第３のディスク制御部と、前記第３の記憶デバイスに記憶されるデータに対するデータ入出力要求を受け付ける第３のチャネル制御部とを有する第２の記憶デバイス制御装置
を備え、
前記第２のチャネル制御部と前記第３のチャネル制御部とがデータ転送路を介して接続されてなる記憶デバイス制御装置システムの制御方法であって、
前記第１のチャネル制御部が、前記オープン系コンピュータからデータ書き込み要求及び書き込みデータを受信するステップと、
前記第１のチャネル制御部が、前記データ書き込み要求がＣＫＤ形式で記憶されたデータセットに対するものであることを判断するステップと、
前記第１のチャネル制御部が、前記書き込みデータをＦＢＡ形式からＣＫＤ形式に変換するステップと、
前記第１のチャネル制御部が、前記データ書き込み要求及びＣＫＤ形式に変換された前記書き込みデータを前記第２のチャネル制御部に転送するステップと、
前記第２のチャネル制御部が、前記データセット管理テーブルを参照し前記書き込みデータの記憶位置を特定するステップと、
前記第２のチャネル制御部が、前記書き込みデータの記憶位置が前記第３の記憶デバイスである場合には、前記データ書き込み要求及び前記書き込みデータを前記データ転送路を介して前記第２の記憶デバイス制御装置に転送するステップと、
前記第２の記憶デバイス制御装置が、前記書き込みデータを前記第３の記憶デバイスに書き込むステップと、
を備えることを特徴とする記憶デバイス制御装置システムの制御方法。
【請求項１６】  ＣＫＤ形式に従ってデータが記憶される第１の記憶デバイスに対する入出力処理を行う第１のディスク制御部と、ＦＢＡ形式に従ってデータが記憶される第２の記憶デバイスに対する入出力処理を行う第２のディスク制御部と、ＣＫＤ形式でデータをアクセスするメインフレームコンピュータからデータ入出力要求を受け付ける第１のチャネル制御部と、ＦＢＡ形式のデータをアクセスするオープン系コンピュータからデータ入出力要求を受け付け、ファイル毎にデータの記憶位置を管理するためのファイル管理テーブルを記憶する第２のチャネル制御部とを有する第１の記憶デバイス制御装置、
及びＦＢＡ形式に従ってデータが記憶される第３の記憶デバイスに対する入出力処理を行う第３のディスク制御部と、前記第３の記憶デバイスに記憶されるデータに対するデータ入出力要求を受け付ける第３のチャネル制御部とを有する第２の記憶デバイス制御装置
を備え、
前記第２のチャネル制御部と前記第３のチャネル制御部とがデータ転送路を介して接続されてなる記憶デバイス制御装置システムの制御方法であって、
前記第１のチャネル制御部が、前記メインフレームコンピュータからデータ書き込み要求及び書き込みデータを受信するステップと、
前記第１のチャネル制御部が、前記データ書き込み要求がＦＢＡ形式で記憶されたファイルに対するものであることを判断するステップと、
前記第１のチャネル制御部が、前記書き込みデータをＣＫＤ形式からＦＢＡ形式に変換するステップと、
前記第１のチャネル制御部が、前記データ書き込み要求及びＦＢＡ形式に変換された前記書き込みデータを前記第２のチャネル制御部に転送するステップと、
前記第２のチャネル制御部が、前記ファイル管理テーブルを参照し前記書き込みデータの記憶位置を特定するステップと、
前記第２のチャネル制御部が、前記書き込みデータの記憶位置が前記第３の記憶デバイスである場合には、前記データ書き込み要求及び前記書き込みデータを前記データ転送路を介して前記第２の記憶デバイス制御装置に転送するステップと、
前記第２の記憶デバイス制御装置が、前記書き込みデータを前記第３の記憶デバイスに書き込むステップと、
を備えることを特徴とする記憶デバイス制御装置システムの制御方法。